【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
複数の無線ネットワーク及び複数のモバイルデバイスと通信するよう動作するシステムであって、前記無線ネットワークのそれぞれは異なるキャリアによって運営される、前記システムは、
プロビジョニングサーバと、
前記複数のモバイルデバイスのうち少なくとも１つのモバイルデバイスの加入レコードを記憶するホームロケーションレジスタ（ＨＬＲ）と、を備え、
前記モバイルデバイスは、現在活性化された第１の国際移動体加入者識別子（ＩＭＳＩ）によって識別された加入者識別モジュール（ＳＩＭ）を有し、
前記現在活性化された第１のＩＭＳＩは、前記システムに割り当てられたＩＭＳＩセットに属し、
前記プロビジョニングサーバは、
前記モバイルデバイスが前記無線ネットワークの１つである第１の無線ネットワークに移動したという通知を受信し、
割当規則が満足することを確認し、
前記ＩＭＳＩセットにおける前記ＩＭＳＩの１つである第２のＩＭＳＩを前記ＨＬＲに追加及び活性化し、前記ＨＬＲから前記現在活性化された第１のＩＭＳＩを削除し、並びに、
前記モバイルデバイスが、新しいＩＭＳＩでローカルデバイス又はローミング加入者として、前記第１の無線ネットワークにおいて無線で通信できるようにするため、前記第２のＩＭＳＩを前記モバイルデバイスへ送信するよう動作し、
前記ＨＬＲは、複数のＨＬＲセグメントとして前記複数の無線ネットワークの間に配置され、前記ＨＬＲセグメントの少なくとも１つは前記無線ネットワークのうちの１つのキャリアと関連し、前記キャリアと関連するＨＬＲセグメントは、前記キャリアと前記システムのプロバイダーとの間での合意の下で前記プロビジョニングサーバによって読み取り可能及び書き込み可能である、システム。
【請求項２】
前記ＨＬＲは前記ＩＭＳＩセットを管理し、
前記ＩＭＳＩセットは複数の部分集合を含み、それぞれの前記部分集合は異なるモバイル国コード及び異なるモバイルネットワークコードを有するＩＭＳＩを含む、請求項１に記載のシステム。
【請求項３】
前記ＩＭＳＩセットにおける各ＩＭＳＩは、前記無線ネットワークの１つを識別するモバイル国コード（ＭＣＣ）及びモバイルネットワークコード（ＭＮＣ）、並びに、前記システムに割り当てられるようにＩＭＳＩを識別する１つ以上の予め指定された値を有する１つ以上の桁を含む加入者識別情報番号（ＭＳＩＮ）を含む、請求項１に記載のシステム。
【請求項４】
前記無線ネットワークは複数の国に位置する、請求項１に記載のシステム。
【請求項５】
前記割当規則は、前記システムのプロバイダーと前記第１の無線ネットワークのキャリア間での合意に基づいている、請求項１に記載のシステム。
【請求項６】
前記割当規則は、前記ＩＭＳＩの１つである前記第２のＩＭＳＩは、テストレディ状態、在庫管理状態、活性化レディ状態又は活性化状態において、前記第１のＩＭＳＩの最初のネットワーク登録に基づいて選択される、という条件をつける、請求項１に記載のシステム。
【請求項７】
前記割当規則は、前記ＩＭＳＩの１つである前記第２のＩＭＳＩは、テストレディ状態、在庫管理状態、活性化レディ状態又は活性化状態において、最初のネットワーク登録の国に基づいて選択される、という条件をつける、請求項１に記載のシステム。
【請求項８】
前記割当規則は、前記ＩＭＳＩの１つである前記第２のＩＭＳＩは、前記第１のＩＭＳＩ及びＣＤＲ、の最初のネットワーク登録に基づいて選択される、という条件をつける、請求項１に記載のシステム。
【請求項９】
前記割当規則は、前記ＩＭＳＩの１つである前記第２のＩＭＳＩは、テストレディ状態、在庫管理状態、活性化レディ状態、又は活性化状態において、前記第１のＩＭＳＩ及びＣＤＲ、の最初のネットワーク登録に基づいて選択される、という条件をつける、請求項１に記載のシステム。
【請求項１０】
前記割当規則は、前記ＩＭＳＩの１つである前記第２のＩＭＳＩは、前記第１のＩＭＳＩ及び最初の支払請求周期における最初の支払請求可能のＣＤＲ、の最初のネットワーク登録に基づいて選択される、という条件をつける、請求項１に記載のシステム。
【請求項１１】
前記割当規則は、前記ＩＭＳＩの１つである前記第２のＩＭＳＩは、前記第１のＩＭＳＩ及び最初の支払請求周期における最後の支払請求可能のＣＤＲ、の最初のネットワーク登録に基づいて選択される、という条件をつける、請求項１に記載のシステム。
【請求項１２】
前記割当規則は、前記ＩＭＳＩの１つである前記第２のＩＭＳＩは、前記第１のＩＭＳＩ及び最初の支払請求周期における支払請求可能なデータボリュームの規定のパーセンテージ、の最初のネットワーク登録に基づいて選択される、という条件をつける、請求項１に記載のシステム。
【請求項１３】
前記割当規則は、前記ＩＭＳＩの１つである前記第２のＩＭＳＩは、前記第１のＩＭＳＩの最初のネットワーク登録に基づいて、及び連続した支払請求可能な使用月の規定の月数後に、選択される、という条件をつける、請求項１に記載のシステム。
【請求項１４】
前記割当規則は、モバイル使用量、前記モバイルデバイスがローミングしている時間長、加入ステータス、利用可能なＩＭＳＩの数、展開されたロケーションに対しての前記ネットワークキャリアとの契約、のうちの少なくとも１つを条件とする、請求項１に記載のシステム。
【請求項１５】
複数の無線ネットワーク及び複数のモバイルデバイスを含むシステム内の通信方法であって、前記無線ネットワークのそれぞれは異なるキャリアによって運営される、前記方法は、
前記複数のモバイルデバイスのうち少なくとも１つのモバイルデバイスの加入レコードをホームロケーションレジスタ（ＨＬＲ）に記憶するステップを備え、
前記モバイルデバイスは、現在活性化された第１の国際移動体加入者識別子（ＩＭＳＩ）によって識別された加入者識別モジュール（ＳＩＭを）有し、
前記現在活性化された第１のＩＭＳＩは、前記システムに割り当てられたＩＭＳＩセットに属し、
プロビジョニングサーバは、
前記モバイルデバイスが前記無線ネットワークの１つである第１の無線ネットワークに移動したという通知を受信し、
割当規則が満足することを確認し、
前記ＩＭＳＩセットにおける前記ＩＭＳＩの１つである第２のＩＭＳＩを前記ＨＬＲに追加及び活性化し、前記ＨＬＲから前記現在活性化された第１のＩＭＳＩを削除し、並びに、
前記モバイルデバイスが、ローカルデバイスとして、前記第１の無線ネットワークにおいて無線で通信できるようにするため、前記第２のＩＭＳＩを前記モバイルデバイスへ送信するよう動作し、
前記ＨＬＲは、複数のＨＬＲセグメントとして前記複数の無線ネットワークの間に配置され、前記ＨＬＲセグメントの少なくとも１つは前記無線ネットワークのうちの１つのキャリアと関連し、前記キャリアと関連するＨＬＲセグメントは、前記キャリアと前記システムのプロバイダーとの間での合意の下で前記プロビジョニングサーバによって読み取り可能及び書き込み可能である、通信方法。
【請求項１６】
モバイル無線ネットワークにおいて動作するシステムであって、
前記システムに割り当てられた複数の加入者識別子を含む第１のホームロケーションレジスタ（ＨＬＲ）と、
前記第１のＨＬＲに結合され、前記モバイル無線ネットワークにおいて動作する複数のモバイルスイッチングセンター（ＭＳＣ）及び複数のモバイルデバイスを含む前記モバイル無線ネットワークと通信するよう動作するプロビジョニングサーバと、を備え、
前記プロビジョニングサーバは、
第１の加入者識別子を有し、第１の条件下で前記モバイル無線ネットワークにおいて動作する第１のモバイルデバイスのロケーションを特定する前記モバイル無線ネットワークからの信号を受信し、
前記第１のモバイルデバイスと前記ロケーションとに対応する、前にプロビジョニングされていない第２の加入者識別子を加えるように前記第１のＨＬＲをプロビジョニングし、及び、
前記第１のモバイルデバイスが第２の条件下で前記モバイル無線ネットワークにおいて動作できるように、前記第１のモバイルデバイスへ前記第２の加入者識別子を識別するデータを送信する、システム。